(57)【要約】【課題】自衛消防隊の各隊員が、自身が所属する隊の他の隊員の参加状況を知ることを可能にする。【解決手段】携帯端末は、利用者と同じ隊に所属する自衛消防隊員の一覧画面であって、各隊員について、隊員の識別情報及び役割と、自衛消防活動への参加の有無とを対応付けて示す一覧画面を生成し、生成した一覧画面を表示部に表示させる。【選択図】図７
2020052655.tif 000002
【特許請求の範囲】
【請求項１】
利用者と同じ隊に所属する自衛消防隊員の一覧画面であって、各隊員について、隊員の識別情報及び役割と、自衛消防活動への参加の有無とを対応付けて示す一覧画面を生成する画面生成手段と、
前記生成された一覧画面を表示手段に表示させる表示制御手段と
を備える防災支援システム。
【請求項２】
前記画面生成手段は、前記一覧画面において隊員が選択されると、当該選択された隊員の役割に応じた作業内容を示す隊員詳細画面を生成し、
前記表示制御手段は、前記生成された隊員詳細画面を前記表示手段に表示させる
ことを特徴とする請求項１に記載の防災支援システム。
【請求項３】
前記画面生成手段は、前記選択された隊員が複数の役割を兼任している場合に、当該複数の役割の各々に対応する作業内容を、タブを用いて切り替えて表示可能なように、前記隊員詳細画面を生成することを特徴とする請求項２に記載の防災支援システム。
【発明の詳細な説明】
【技術分野】
【０００１】
本発明は、自衛消防活動を支援するためのシステムに関する。
【背景技術】
【０００２】
従来、火災や地震等の災害発生時に初期対応を行うために編成される組織として、自衛消防隊が知られている。特許文献１には、火災の発生を契機として自衛消防隊を編成し、各隊員に役割と作業内容を通知するための支援システムが記載されている。
【先行技術文献】
【特許文献】
【０００３】
【特許文献１】特開２０１５−１０８９２３号公報
【発明の概要】
【発明が解決しようとする課題】
【０００４】
しかし、従来の支援システムでは、各隊員は自身が所属する隊の他の隊員の参加状況を知ることができなかった。より具体的には、どの役割を担う隊員が参加し、どの役割を担う隊員が参加していないかを知ることができなかった。特にテナントビルの場合は、テナントとして入居する異なる事務所の隊員が共同して初期消火等の活動をすることになるため、参加する隊員の情報は重要である。
【０００５】
本発明は、このような事情に鑑みてなされたものであり、自衛消防隊の各隊員が、自身が所属する隊の他の隊員の参加状況を知ることを可能にすることを目的とする。
【課題を解決するための手段】
【０００６】
上記の課題を解決するため、本発明に係る防災支援システムは、利用者と同じ隊に所属する自衛消防隊員の一覧画面であって、各隊員について、隊員の識別情報及び役割と、自衛消防活動への参加の有無とを対応付けて示す一覧画面を生成する画面生成手段と、前記生成された一覧画面を表示手段に表示させる表示制御手段とを備える。
【０００７】
好ましい態様において、前記画面生成手段は、前記一覧画面において隊員が選択されると、当該選択された隊員の役割に応じた作業内容を示す隊員詳細画面を生成し、前記表示制御手段は、前記生成された隊員詳細画面を前記表示手段に表示させる。
【０００８】
さらに好ましい態様において、前記画面生成手段は、前記選択された隊員が複数の役割を兼任している場合に、当該複数の役割の各々に対応する作業内容を、タブを用いて切り替えて表示可能なように、前記隊員詳細画面を生成する。
【発明の効果】
【０００９】
本発明に係る防災支援システムによれば、自衛消防隊の各隊員は、自身が所属する隊の他の隊員の参加状況を知ることができる。
【図面の簡単な説明】
【００１０】
【図１】防災支援システム１の構成の一例を示すブロック図
【図２】支援サーバ２の構成の一例を示すブロック図
【図３】携帯端末３の構成の一例を示すブロック図
【図４】平時の隊員一覧画面の一例を示す図
【図５】隊員詳細画面の一例を示す図
【図６】隊員詳細画面の一例を示す図
【図７】有事の隊員一覧画面の一例を示す図
【図８】参加確認画面の一例を示す図
【図９】本部端末４の構成の一例を示すブロック図
【図１０】報告一覧画面の一例を示す図
【図１１】参加状況一覧画面の一例を示す図
【発明を実施するための形態】
【００１１】
１．実施形態
本発明の一実施形態に係る防災支援システム１について図面を参照して説明する。この防災支援システム１は、自衛消防活動を支援するためのシステムである。具体的には、自衛消防隊の各隊員が、他の隊員の参加状況や作業内容を知ることを可能にし、かつ、防災センタのセンタ要員が、各隊員の作業状況を知ることを可能にするためのシステムである。図１は、この防災支援システム１の構成を示すブロック図である。同図に示すように、防災支援システム１は、支援サーバ２と、携帯端末３と、本部端末４を備える。支援サーバ２は、自衛消防活動を支援するためのサーバである。携帯端末３は、自衛消防隊の各隊員により携帯される端末である。本部端末４は、防火対象物の防災センタに設置される端末である。これらの装置は、インターネットや無線ＬＡＮ等の通信回線５により、通信可能に接続される。以下、これらの装置について詳述する。
【００１２】
支援サーバ２は、具体的には、各隊員に他の隊員の参加状況を通知し、センタ要員に各隊員の作業状況を通知するためのサーバである。図２は、この支援サーバ２の構成を示すブロック図である。
【００１３】
同図に示す支援サーバ２は、ＣＰＵ等の演算処理装置とＲＡＭ等の揮発性メモリを備える制御部２１と、ＨＤＤ等の記憶装置である記憶部２２と、携帯端末３及び本部端末４とデータ通信を行うための通信インタフェースである通信部２３とを備える。
【００１４】
この支援サーバ２の記憶部２２は、ユーザ情報、自衛消防隊体制情報、タスク情報、参加情報、報告情報及び画像情報を記憶する。ユーザ情報は、携帯端末３の利用者の属性情報である。このユーザ情報は、具体的には、各利用者について、ユーザＩＤ、氏名、性別、年齢又は年代、所属部署、役職、顔画像ＩＤ、電話番号、登録用メールアドレス、通知用メールアドレス及び参照権限に関する情報を有する。自衛消防隊体制情報は、自衛消防隊の編成表である。この自衛消防隊体制情報は、具体的には、携帯端末３の各利用者について、ユーザＩＤ、所属隊、班（役割）及び担当エリアについての情報を有する。タスク情報は、自衛消防隊の各班の作業内容を示す情報である。参加情報は、携帯端末３の利用者の自衛消防活動への参加の可否を示す情報である。この参加情報は、具体的には、各利用者について、ユーザＩＤ及び参加可否情報を有する。報告情報は、携帯端末３から支援サーバ２に送信される各種の報告情報である。この報告情報は、具体的には、各報告について、報告ＩＤ、送信日時（撮影日時）、報告種別、報告者のユーザＩＤ、メッセージ、報告写真の画像ＩＤ、報告のステータス及び報告写真の公開有無についての情報を有する。画像情報は、携帯端末３の利用者の顔画像の情報と、報告写真の画像情報である。
【００１５】
この支援サーバ２の制御部２１が、記憶部２２に記憶される防災支援プログラムを実行すると、報告受付部２１１、同期部２１２、画面生成部２１３及び火災通知部２１４の機能が実現される。
【００１６】
報告受付部２１１は、携帯端末３から送信される各種の報告を受け付ける。具体的には、参加可否報告、作業報告、ＳＯＳ報告及び写真報告を受け付ける。参加可否報告を受け付けると、参加情報を記憶部２２に記憶する。作業報告、ＳＯＳ報告又は写真報告を受け付けると、受け付けた報告について報告情報を記憶部２２に記憶する。
【００１７】
同期部２１２は、携帯端末３に記憶される情報を、自機の記憶部２２に記憶される情報に同期させる。具体的には、ユーザ情報、自衛消防隊体制情報、タスク情報、参加情報及び画像情報を同期させる。情報の同期は、情報の更新を契機として行われ、同期部２１２は、情報が更新されると、同期通知を各端末に送信し、端末から同期通知に対する応答を受信すると、更新された情報を端末に送信する。ただし、携帯端末３に対する報告写真の同期については、センタ要員により選択されたものについてのみ行う。
【００１８】
画面生成部２１３は、本部端末４から報告一覧画面（図１０参照）の送信要求が受信されると、ユーザ情報、自衛消防隊体制情報、報告情報及び画像情報に基づいて報告一覧画面を生成し、本部端末４に送信する。
【００１９】
火災通知部２１４は、防火対象物に設置された火災受信機（図示略）から火災発生信号が受信されると、火災情報を携帯端末３に送信する。
【００２０】
次に、携帯端末３は、具体的には、スマートフォン、携帯電話機、タブレット端末、ウェアラブル端末等の情報処理装置である。図３は、この携帯端末３の構成を示すブロック図である。
【００２１】
同図に示す携帯端末３は、ＣＰＵ等の演算処理装置とＲＡＭ等の揮発性メモリを備える制御部３１と、フラッシュメモリ等の記憶装置である記憶部３２と、液晶ディスプレイや有機ＥＬディスプレイ等の表示装置である表示部３３と、操作ボタンやタッチパネル等の入力装置である操作入力部３４と、支援サーバ２とデータ通信を行うための通信インタフェースである通信部３５と、カメラ部３６とを備える。
【００２２】
この携帯端末３の記憶部３２は、支援サーバ２の記憶部２２が記憶する各種の情報のうち、報告情報以外の情報を記憶する。すなわち、ユーザ情報、自衛消防隊体制情報、タスク情報、参加情報及び画像情報を記憶する。
【００２３】
この携帯端末３の制御部３１が、記憶部３２に記憶される防災支援プログラムを実行すると、情報更新部３１１、画面生成部３１２、表示制御部３１３及び報告部３１４の機能が実現される。
【００２４】
情報更新部３１１は、支援サーバ２から同期通知が受信されると、支援サーバ２において更新された情報を取得して、記憶部３２に記憶する。
【００２５】
画面生成部３１２は、記憶部３２に記憶される情報に基づいて各種の画面を生成する。具体的には、利用者により隊員情報の表示が指示されると、ユーザ情報、自衛消防隊体制情報、参加情報及び画像情報に基づいて隊員一覧画面を生成する。図４は、平時の隊員一覧画面の一例を示す図である。同図に示す隊員一覧画面は、利用者が所属する隊の隊員のリスト６１を示す。この隊員リスト６１は、各隊員について、氏名、役割及び顔写真を示す。この隊員一覧画面において、利用者によりいずれかの隊員が選択されると、画面生成部３１２は、ユーザ情報、自衛消防隊体制情報、タスク情報及び画像情報に基づいて、選択された隊員の詳細画面を生成する。図５は、隊員詳細画面の一例を示す図である。同図に示す隊員詳細画面は、隊員の属性情報６２と、当該隊員の役割に応じた作業内容６３を示す。属性情報６２は、具体的には、隊員の役割、担当エリア、氏名、顔写真、電話番号、通知用メールアドレス及び参照権限に関する情報を含む。図６は、隊員詳細画面の別の例を示す図である。同図に示す隊員詳細画面は、複数の役割を兼任する隊員の詳細情報を示す画面である。同画面では、複数の役割の各々に対応する作業内容が、タブ６４を用いて切り替えて表示することが可能になっている。
【００２６】
次に、図７は、有事の隊員一覧画面の一例を示す図である。同図に示す隊員一覧画面は、火災発生後に利用者により隊員情報の表示が指示されたときに生成される隊員一覧画面である。同画面は、利用者の役割に応じた作業内容７１と、利用者が所属する隊の隊員のリスト７２を示す。また、同画面は、作業内容７１に関連して、作業報告ボタン７３及び７４を示す。作業内容７１は、戻るボタン７５と進むボタン７６を操作することで前後の作業内容を切り替えて表示することが可能になっている。隊員リスト７２は、各隊員について、氏名、役割、顔写真及び参加有無を示す。この隊員リスト７２を参照することで、利用者は、他の隊員の参加状況を知ることができる。言い換えると、担当者が欠落している役割を知ることができる。この図７に示す隊員一覧画面において、利用者によりいずれかの隊員が選択されると、画面生成部３１２は、ユーザ情報、自衛消防隊体制情報、タスク情報及び画像情報に基づいて、選択された隊員の詳細画面を生成する。隊員詳細画面の一例は、図５及び図６に示す通りである。
【００２７】
また、画面生成部３１２は、支援サーバ２から火災情報が受信されると、自衛消防活動への参加の可否を確認するための参加確認画面を生成する。図８は、この参加確認画面の一例を示す図である。同図に示す参加確認画面は、参加ボタン７７及び不参加ボタン７８を示す。
【００２８】
表示制御部３１３は、画面生成部３１２により生成された画面を表示部３３に表示させる。
【００２９】
報告部３１４は、各種の報告を、利用者のユーザＩＤとともに支援サーバ２に送信する。具体的には、参加可否報告、作業報告、ＳＯＳ報告又は写真報告を送信する。これらの報告のうち、参加可否報告は、図８に示す参加ボタン７７又は不参加ボタン７８が選択されると送信される。作業報告は、図７に示す作業報告ボタン７３又は７４が選択されると送信される。作業報告には、選択されたボタンに対応するメッセージが含まれる。ＳＯＳ報告は、図示せぬＳＯＳメッセージ送信画面において、メッセージが入力され、送信ボタンが選択されると送信される。ＳＯＳ報告には、入力されたメッセージが含まれる。写真報告は、図示せぬ写真撮影用の画面を用いて写真が撮影され、送信ボタンが選択されると送信される。写真報告には、撮影された写真の画像情報が含まれる。
【００３０】
次に、本部端末４は、具体的には、据え置き型のＰＣである。図９は、この本部端末４の構成を示すブロック図である。
【００３１】
同図に示す本部端末４は、ＣＰＵ等の演算処理装置とＲＡＭ等の揮発性メモリを備える制御部４１と、ＨＤＤ等の記憶装置である記憶部４２と、液晶ディスプレイや有機ＥＬディスプレイ等の表示装置である表示部４３と、操作ボタンやタッチパネル等の入力装置である操作入力部４４と、支援サーバ２とデータ通信を行うための通信インタフェースである通信部４５とを備える。
【００３２】
この本部端末４の制御部４１が、記憶部４２に記憶されるプログラムを実行すると、画面取得部４１１及び表示制御部４１２の機能が実現される。
【００３３】
画面取得部４１１は、センタ要員により報告一覧画面の表示が指示されると、報告一覧画面の送信要求を支援サーバ２に対して送信し、支援サーバ２から送信されてくる報告一覧画面を取得する。図１０は、この報告一覧画面の一例を示す図である。同図に示す報告一覧画面は、各報告について、選択用のチェックボックス、処理ステータス、送信日時（撮影日時）、報告者の所属隊、班及び氏名、報告内容、報告種別（写真報告の場合は、写真のサムネイル）並びに報告写真の公開有無を示す。各報告は、原則、送信日時の昇順に並べられるが、処理ステータスが未完了の報告については、その送信日時にかかわらず、報告一覧画面の上位に配置される。この報告一覧画面を参照することで、センタ要員は各隊員の作業状況を知ることができる。
【００３４】
表示制御部４１２は、画面取得部４１１により取得された画面を表示部４３に表示させる。
【００３５】
以上説明した防災支援システム１によれば、防火対象物において火災が発生し、支援サーバ２から携帯端末３に対して火災情報が通知されると、各隊員は自衛消防活動への参加可否を支援サーバ２に通知する。この参加可否情報は、支援サーバ２を介して各携帯端末３間で共有され、各隊員は図７に示す隊員一覧画面を参照することで、他の隊員の参加状況を知ることができる。言い換えると、担当者が欠落している役割を知ることができる。
【００３６】
２．変形例
上記の実施形態は、下記のように変形してもよい。下記の変形例は互いに組み合わせてもよい。
【００３７】
２−１．変形例１
上記の実施形態では、支援サーバ２から送信される同期通知をトリガとして、支援サーバ２と携帯端末３の間で各種情報の同期が行われているが、携帯端末３から送信される同期要求をトリガとして、当該同期を行うようにしてもよい。その場合、携帯端末３は、定期的に支援サーバ２に対して同期要求を送信する。この同期要求には、携帯端末３が記憶する各種情報のファイル名とバージョン情報が含まれる。この同期要求を受信した支援サーバ２は、携帯端末３に記憶されている各種情報のファイルが最新のバージョンであるか否かを判定し、最新のバージョンでないものが含まれている場合には、そのファイルを同期対象として携帯端末３に通知する。この通知を受けた携帯端末３は、同期対象のファイルのダウンロードの要否を確認するための確認画面を表示し、隊員によりダウンロードが指示されると、当該ファイルを支援サーバ２から取得する。
【００３８】
２−２．変形例２
図７に示す隊員一覧画面では、アイコンとメッセージの相違により参加の有無を区別しているが、参加の有無を区別する方法はこれに限られない。例えば、隊員の氏名等の識別情報のサイズ、色、表示方法（点滅表示か否か）の相違により参加の有無を区別するようにしてもよい。
【００３９】
２−３．変形例３
支援サーバ２の画面生成部３１２は、自衛消防隊体制情報と参加情報に基づいて各隊員の参加状況一覧画面を生成し、本部端末４に表示させてもよい。図１１は、この参加状況一覧画面の一例を示す図である。同図に示す参加状況一覧画面は、センタ要員により指定された隊について、各隊員の参加の有無を示す。同画面において、「対応中」は参加を示し、「−」は不参加を示す。この参加状況一覧画面を参照することで、センタ要員は各隊員の参加状況を知ることができる。言い換えると、担当者が欠落している役割を知ることができる。
【００４０】
２−４．変形例４
携帯端末３の画面生成部３１２の機能を支援サーバ２に備えさせ、支援サーバ２において生成された画面を携帯端末３の表示部３３に表示させるようにしてもよい。
【符号の説明】
【００４１】
１…防災支援システム、２…支援サーバ、３…携帯端末、４…本部端末、５…通信回線、２１…制御部、２２…記憶部、２３…通信部、３１…制御部、３２…記憶部、３３…表示部、３４…操作入力部、３５…通信部、３６…カメラ部、４１…制御部、４２…記憶部、４３…表示部、４４…操作入力部、４５…通信部、６１…隊員リスト、６２…属性情報、６３…作業内容、６４…タブ、７１…作業内容、７２…隊員リスト、７３、７４…作業報告ボタン、７５…戻るボタン、７６…進むボタン、７７…参加ボタン、７８…不参加ボタン、２１１…報告受付部、２１２…同期部、２１３…画面生成部、２１４…火災通知部、３１１…情報更新部、３１２…画面生成部、３１３…表示制御部、３１４…報告部、４１１…画面取得部、４１２…表示制御部
【図１】
2020052655.tif 000003
【図２】
2020052655.tif 000004
【図３】
2020052655.tif 000005
【図４】
2020052655.tif 000006
【図５】
2020052655.tif 000007
【図６】
2020052655.tif 000008
【図７】
2020052655.tif 000009
【図８】
2020052655.tif 000010
【図９】
2020052655.tif 000011
【図１０】
2020052655.tif 000012
【図１１】
2020052655.tif 000013